(57)【要約】【課題】ネジ締結されている筐体を、締結強度を落とすことなく筐体を薄肉化すること。【解決手段】複数の部分からなり、前記複数の部分をネジ４で締結し組み立てる装置の筐体２において、ネジ４の受け部をネジ穴の近傍に有する構成とし、ネジの締結を筐体の板部分だけでなく、これとは別体のネジ受け部で受け、ネジ締結される筐体間にネジ受け部を挟持することにより、筐体自身に雌ねじ部が無くなるので、締結強度を保ったまま筐体を薄肉化することができる。【選択図】図３
2007154956.tif 000002
【特許請求の範囲】
【請求項１】
複数の部分からなり、前記複数の部分をネジで締結し組み立てる装置の筐体において、前記ネジの受け部を前記ネジ穴の近傍に有することを特徴とした装置の筐体。
【請求項２】
受け部は筐体の一部に懸架あるいは勘合するように取付けられることを特徴とした請求項１に記載の装置の筐体。
【請求項３】
受け部は樹脂からなることを特徴とした請求項１または２に記載の装置の筐体。
【請求項４】
受け部は樹脂からなり、且つ、筐体は金属からなる装置の筐体であって、前記筐体は、前記受け部の近傍において、相互に接触することを特徴とした請求項１〜３のいずれか１項に記載の装置の筐体。
【請求項５】
受け部は、筐体に懸架するための爪部と雌ネジ部からなることを特徴とした請求項１〜４のいずれか１項に記載の装置の筐体。
【請求項６】
受け部の一部は、少なくとも雌ネジの軸線に対して、平行あるいは直角をなすことを特徴とした請求項１〜５のいずれか１項に記載の装置の筐体。
【請求項７】
受け部の一部には、筐体に懸架した際に前記筐体に当接するリブを設けたことを特徴とした請求項１〜６のいずれか１項に記載の装置の筐体。
【請求項８】
リブの一部は、くさび形状をなしていることを特徴とした請求項１〜７のいずれか１項に記載の装置の筐体。
【請求項９】
雌ネジの穴の周囲には、円弧状のリブを設けたことを特徴とした請求項１〜８のいずれか１項に記載の装置の筐体。
【請求項１０】
筐体の穴の周囲には、円弧状のリブを設けたことを特徴とした請求項１〜９のいずれか１項に記載の装置の筐体。
【発明の詳細な説明】
【技術分野】
【０００１】
本発明は複数の部位からなる筐体のネジ締結に関するものである。
【背景技術】
【０００２】
従来、この種の複数部位をネジ締結されている筐体は、筐体自身に雌ねじ部が設けられている。また、筐体内部の金属部品と筐体を締結しているものもある（例えば、公開特許文献１参照）。
【特許文献１】実開平５−３８２２号公報
【発明の開示】
【発明が解決しようとする課題】
【０００３】
しかしながら、前記従来の構成では、筐体全体の小型化や軽量化を目的として、締結される筐体自体の薄肉化を行うことが、筐体に設けられている雌ねじ部の縮小・脆弱化につながるので、筐体の薄肉化が困難であるという課題を有していた。
【０００４】
本発明は、前記従来の課題を解決するもので、ネジ締結されている筐体の薄肉化を目的としたネジ締結方法を提供することを目的とする。
【課題を解決するための手段】
【０００５】
前記従来の課題を解決するために本発明は、ネジ締結される筐体間に補強用のネジ受け部を設け、締結強度を向上させたものである。
【０００６】
これによって、筐体に依存することなくネジの締結強度は保つことが可能となる。
【０００７】
また、本発明のネジ締結は形状を工夫したことにより、他の部品を必要とせずに天面のアースが取れる。
【発明の効果】
【０００８】
本発明のネジ締結は、締結される筐体の薄肉化・軽量化を、強度的・電気的に安全に実現することができる。
【発明を実施するための最良の形態】
【０００９】
第１の発明は、複数の部分からなり、前記複数の部分をネジで締結し組み立てる装置の筐体において、前記ネジの受け部を前記ネジ穴の近傍に有するもので、この構成をなすことにより、ネジの締結強度が向上するので筐体の薄肉化・軽量化を、強度的に安全に実現することができる。
【００１０】
第２の発明は、特に第１の発明の受け部は筐体の一部に懸架あるいは勘合するように取付けられるもので、この構成をなすことにより、受け部が確実に位置決めされ、筐体に取り付けられるので締結強度が向上し、筐体の薄肉化・軽量化を、強度的に安全に実現することができる。
【００１１】
第３の発明は、特に第１または２の発明の受け部は樹脂からなるもので、この構成をなすことにより、筐体の薄肉化・軽量化を、電気的に安全に実現することができる。
【００１２】
第４の発明は、特に第１〜３のいずれか１つの発明の受け部は樹脂からなり、且つ、筐体は金属からなる装置の筐体であって、前記筐体は、前記受け部の近傍において、相互に
接触するもので、この構成をなすことによりネジの締結強度が向上するので筐体の薄肉化・軽量化を、強度的に安全に実現することができる。
【００１３】
第５の発明は、特に第１〜４のいずれか１つの発明の受け部は、筐体に懸架するための爪部と雌ネジ部からなるもので、この構成をなすことにより、ネジの締結強度が向上するので筐体の薄肉化・軽量化を、強度的に安全に実現することができる。
【００１４】
第６の発明は、特に第１〜５のいずれか１つの発明の受け部の一部は、少なくとも雌ネジの軸線に対して、平行あるいは直角をなすもので、この構成をなすことにより、受け部の角度が決められ、筐体に取り付けられるので締結強度が向上し、筐体の薄肉化・軽量化を、強度的に安全に実現することができる。
【００１５】
第７の発明は、特に第１〜６のいずれか１つの発明の受け部の一部には、筐体に懸架した際に前記筐体に当接するリブを設けたもので、この構成を成すことにより受け部が確実に位置決めされ、筐体に取り付けられるので締結強度が向上し、筐体の薄肉化・軽量化を、強度的に安全に実現することができる。
【００１６】
第８の発明は、特に第１〜７のいずれか１つの発明のリブの一部は、くさび形状をなしているもので、この構成を成すことにより締結強度が向上し、筐体の薄肉化・軽量化を、強度的に安全に実現することができる。
【００１７】
第９の発明は、特に第１〜８のいずれか１つの発明の雌ネジの穴の周囲には、円弧状のリブを設けたもので、この構成を成すことにより受け部が確実に位置決めされ、筐体に取り付けられるので締結強度が向上し、筐体の薄肉化・軽量化を、強度的に安全に実現することができる。
【００１８】
第１０の発明は、特に第１〜９のいずれか１つの発明の筐体の穴の周囲には、円弧状のリブを設けたもので、この構成を成すことにより受け部が確実に位置決めされ、筐体に取り付けられるので締結強度が向上し、筐体の薄肉化・軽量化を、強度的に安全に実現することができる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における、筐体間に挟持されるネジ受け部１を示しており、筐体２に懸架するための爪部１ａと雌ネジ部１ｂ、また、筐体２に当接するリブ１ｃを設けている。
【００２１】
図２は、本発明の第１の実施の形態における、筐体２を示しており、また、筐体３に当接するリブ２ａを設けている。
【００２２】
上記の構成によって、図３に示すようにネジ受け部１を筐体２に懸架する際、爪部１ａを筐体２に引っ掛けながら懸架することで、スムーズに取付けることができる。また取付けた際には、各々のリブ１ｃ、２ａが互いに嵌まることにより、簡単に外れなくなる。
【００２３】
（実施の形態２）
図４は、本発明の第２の実施の形態における、筐体２，３をネジ４で締結した図を示しており、ネジ受け部１は外側からは見えない。また、ネジ締結した際、筐体２のリブ２ａが筐体３に当接することにより、確実に天面である筐体３のアースが取れる。
【産業上の利用可能性】
【００２４】
以上のように、本発明にかかる装置の筐体は、複数の部分をネジ締結して一体に構成する筐体の締結部に係る発明なので、複数の構成体をネジ締結するあらゆる製品に適用できる。
【図面の簡単な説明】
【００２５】
【図１】本発明の実施の形態１におけるネジ受け部の斜視図
【図２】本発明の実施の形態１におけるネジ受け部近傍の斜視図
【図３】本発明の実施の形態１におけるネジ受け部が筐体に嵌合した状態の斜視図
【図４】本発明の実施の形態２における筐体をネジで締結した状態の斜視図
【符号の説明】
【００２６】
１  ネジ受け部
１ａ  爪部
１ｂ  雌ねじ部
１ｃ  リブ部
２  筐体２
２ａ  リブ部
３  筐体３
４  ネジ
【図１】
2007154956.tif 000003
【図２】
2007154956.tif 000004
【図３】
2007154956.tif 000005
【図４】
2007154956.tif 000006